(57)【要約】【課題】  低コストで製造でき、かつ、潤滑性を向上させたころ軸受を提供する。【解決手段】  ころ軸受は、複数のころと、ころを内径側から保持する内径側保持器１１と、ころを外径側から保持する外径側保持器とを備える。上記した内径側保持器１１は、一対の環状部１２ａ、１２ｂと、ころを収容する複数のポケット１４を形成するように一対の環状部１２ａ、１２ｂを連結する複数の柱部１３とを含む。各ポケット１４は、複数のころを収容し、内径側保持器１１の環状部１２ａ、１２ｂには、各ポケット１４内に収容された複数のころの内径側への抜けを防止する突部１５が設けられている。【選択図】      図１
2007085394.tif 000002
【特許請求の範囲】
【請求項１】
複数のころと、前記ころを内径側から保持する内径側保持器と、前記ころを外径側から保持する外径側保持器とを備えるころ軸受であって、
前記内径側保持器は、一対の環状部と、前記ころを収容する複数のポケットを形成するように一対の環状部を連結する複数の柱部とを含み、
前記一対の環状部の直径は、ころ配列のピッチ円直径よりも小さく、
前記各ポケットは、複数のころを収容し、
前記内径側保持器の環状部には、各ポケット内に収容された複数のころの内径側への抜けを防止する突部が設けられている、ころ軸受。
【請求項２】
前記突部の軸方向の寸法は、前記ころの面取り部の軸方向の寸法の最大値よりも大きい、請求項１に記載のころ軸受。
【請求項３】
前記内径側保持器の少なくともいずれか一方の環状部には、この環状部を切断するスリットが設けられている、請求項１または２に記載のころ軸受。
【請求項４】
前記内径側保持器の双方の環状部には、前記スリットが設けられており、各々の環状部において前記スリットが設けられる周方向の位置は、一方の環状部と他方の環状部とで異なる、請求項１または２に記載のころ軸受。
【請求項５】
前記スリットは、環状部において等配で複数設けられている、請求項３または４に記載のころ軸受。
【発明の詳細な説明】
【技術分野】
【０００１】
この発明は、ころ軸受に関する。
【背景技術】
【０００２】
回転軸を支持するころ軸受は、複数のころと、複数のころを保持する保持器とを含む。保持器は、一対の環状部と、ころを保持するポケットを形成するように一対の環状部を連結する複数の柱部とを有する。各ポケットにころが収容されると、柱部は各ころの間に位置することになるが、一般的には、ころ配列のピッチ円直径であるＰＣＤ（Ｐｉｔｃｈ  Ｃｉｒｃｌｅ  Ｄｉａｍｅｔｅｒ）付近に柱部が位置するよう構成されている。
【０００３】
上記したころ軸受において、高負荷容量が要求される場合には、ころ長さを長くしたり、ころの本数を多くする必要がある。ころの本数を多くするためには、各ころの間に位置する柱部の周方向の幅を狭くしなければならないが、そうすると、柱部の強度が低下し、保持器が破損するおそれがある。
【０００４】
ここで、ころ軸受に含まれるころの充填率を向上させた保持器付きころに関する技術が、特開２００５−１０６２１１号公報（特許文献１）に開示されている。
【０００５】
図１１（Ａ）は、この場合のころ軸受の一部を示す軸方向の断面図である。また、図１１（Ｂ）は、この場合のころ軸受の一部を示す径方向の断面図である。図１１（Ａ）および図１１（Ｂ）を参照して、ころ軸受１０１は、ころ１０２と保持器１０３とを有する。保持器１０３は、ＰＣＤ１０６よりも外径側に配置される外方部材１０４と、ＰＣＤ１０６よりも内径側に配置される内方部材１０５とを有する。
【０００６】
外方部材１０４および内方部材１０５は、それぞれ一対の環状部と、ころを保持するポケットを形成するように一対の環状部を連結する複数の柱部とを有する。外方部材１０４の柱部１０７は、ころ１０２間に配置され、ころ１０２の外径側への抜けを防止する。また、内方部材１０５の柱部１０８は、ころ１０２間に配置され、ころ１０２の内径側への抜けを防止する。このように構成することにより、ＰＣＤ１０６付近に柱部が存在しないことになり、ころ１０２の本数を多くすることができる。
【特許文献１】特開２００５−１０６２１１号公報（段落番号００４３〜００４５、図１７）
【発明の開示】
【発明が解決しようとする課題】
【０００７】
ここで、上記した保持器に含まれる内方部材については、各ポケットの間、すなわち、収容される各ころ間に、環状部を連結する柱部が存在している。
【０００８】
そうすると、各ころ間における潤滑油の流入性および流出性を悪化させ、潤滑性を損なうおそれがある。
【０００９】
また、上記した内方部材を射出成型で製造する場合、ポケットを形成する射出用コマがポケット数だけ必要であるが、各ころを収容するポケット数が多くなった場合、射出用コマも多く要することになり、製造時におけるコストが増大する。
【００１０】
この発明は、低コストで製造でき、かつ、潤滑性を向上させたころ軸受を提供することを目的とする。
【課題を解決するための手段】
【００１１】
この発明に係るころ軸受は、複数のころと、ころを内径側から保持する内径側保持器と、ころを外径側から保持する外径側保持器とを備える。上記した内径側保持器は、一対の環状部と、ころを収容する複数のポケットを形成するように一対の環状部を連結する複数の柱部とを含む。また、一対の環状部の直径は、ころ配列のピッチ円直径よりも小さい。ここで、各ポケットは、複数のころを収容し、内径側保持器の環状部には、各ポケット内に収容された複数のころの内径側への抜けを防止する突部が設けられている。
【００１２】
このように構成することにより、１つのポケットで複数のころを収容することができる。収容されたころは、柱部または突部によって、内径側から保持され、内径側にころが抜け出るおそれはない。突部が配置される箇所には、各ころ間の空間を確保することができるため、潤滑油の流入性および流出性が良好となる。
【００１３】
また、ころの数に対し、開口部分であるポケット数が少ないため、このような保持器を射出成型で製造する場合、製造時に要する射出用コマの数を低減することができ、安いコストで製造することができる。
【００１４】
好ましくは、突部の軸方向の寸法は、ころの面取り部の軸方向の寸法の最大値よりも大きい。こうすることにより、突部の側面がころの転動面と接触する部分を確保することができ、ころを確実に保持することができる。
【００１５】
より好ましくは、内径側保持器の少なくともいずれか一方の環状部には、この環状部を切断するスリットが設けられている。こうすることにより、内径側保持器をころ軸受に組み込む際に、弾性変形させて内径側保持器の径を小さくすることが容易になり、組み込みやすくなる。
【００１６】
さらに好ましくは、内径側保持器の双方の環状部には、スリットが設けられており、各々の環状部においてスリットが設けられる周方向の位置は、一方の環状部と他方の環状部とで異なる。こうすることにより、弾性変形させて双方の環状部の径を小さくすることが容易になり、組み込み性が向上する。また、スリットを設ける周方向の位置をずらすことにより、組み込み時における内径側保持器の真円形状を大きく崩すことはない。
【００１７】
さらに好ましくは、スリットは、環状部において等配で複数設けられている。こうすることにより、弾性変形により径を小さくすることがより容易となる。
【発明の効果】
【００１８】
この発明によれば、１つのポケットで複数のころを収容することができる。収容されたころは、柱部または突部によって、内径側から保持され、内径側にころが抜け出るおそれはない。突部が配置される箇所には、各ころ間の空間を確保することができるため、潤滑油の流入性および流出性が良好となる。
【００１９】
また、ころの数に対し、開口部分であるポケット数が少ないため、このような保持器を射出成型で製造する場合、製造時に要する射出用コマの数を低減することができ、安いコストで製造することができる。
【００２０】
その結果、低コストで製造でき、かつ、潤滑性を向上させたころ軸受を提供することができる。
【発明を実施するための最良の形態】
【００２１】
以下、この発明の実施の形態を図面を参照して説明する。図１は、この発明の一実施形態に係るころ軸受に含まれる内径側保持器を、周方向からみた一部を示す図である。図１を参照して、内径側保持器１１は、一対の環状部１２ａ、１２ｂと、複数のころ（図示せず）を収容する複数のポケット１４を形成するように環状部１２ａ、１２ｂを連結する複数の柱部１３とを含む。各ポケット１４は、複数のころを収容することができる大きさである。
【００２２】
環状部１２ａ、１２ｂには、ポケット１４の内側面１６ａ、１６ｂから、相対する環状部１２ｂ、１２ａ側に向かって突出した突部１５が設けられている。ポケット１４内に保持される各ころは、柱部１３と突部１５との間で保持される。すなわち、柱部１３と突部１５により、ポケット１４内に収容された複数のころの内径側への抜けを防止することができる。この場合において、１つのポケット１４内に配置されるころの数は、柱部１３と突部１５との間の合計２つとなる。
【００２３】
このような内径側保持器１１を射出成型で製造する場合、収容するころの数と比較して、ポケット１４の数を少なくすることができる。したがって、射出成型時に要するポケット開口用の射出用コマの数を少なくすることができ、製造コストを低減することができる。
【００２４】
図２は、図１に示す内径側保持器１１を含むころ軸受の、内径側保持器１１の柱部１３を含む断面で切断した軸方向における断面図である。図３は、径方向における突部１５を含まない断面の一部を拡大した図である。図１、図２および図３を参照して、ころ軸受２１は、複数のころ２２と、外径側保持器２３と、内径側保持器１１とを含む。内径側保持器１１は、複数のころ２２が配置された後、内径側から組み入れられる。外径側保持器２３は、一対の環状部２４ａ、２４ｂと、ころ２２を収容するポケットを形成するように一対の環状部２４ａ、２４ｂとを連結する複数の柱部２５とを含む。外径側保持器２３には、軸方向の両端が径方向内側に折り曲げられた鍔部２６ａ、２６ｂが設けられている。
【００２５】
外径側保持器２３に含まれる一対の環状部２４ａ、２４ｂの直径は、ころ配列のピッチ円直径であるＰＣＤ２７よりも大きく構成されている。したがって、ころ２２間に位置する外径側保持器２３の柱部２５は、ころ２２の外径側に位置することになる。ＰＣＤ２７上ではなく、このような位置に外径側保持器２３の柱部２５を配置させることにより、ころ２２が外径側へ抜け出るのを防止することができる。また、外径側保持器２３の柱部２５の幅を確保しながら、収容するころ２２の本数を多くすることができる。
【００２６】
一方、内径側保持器１１に含まれる一対の環状部１２ａ、１２ｂの直径は、ころ配列のピッチ円直径であるＰＣＤ２７よりも小さく構成されている。したがって、ころ２２間に位置する内径側保持器１１の柱部１３および突部１５は、ころ２２の内径側に位置することになる。外径側保持器２３の場合と同様、ＰＣＤ２７上ではなく、このような位置に柱部１３および突部１５を配置させることにより、ころ２２が内径側へ抜け出るのを防止することができる。また、内径側保持器１１の柱部１３および突部１５の幅を確保しながら、収容するころ２２の本数を多くすることができる。
【００２７】
ここで、軸方向における突部１５が位置するころ２２ａ、２２ｂの間には、柱部１３に該当する部分は存在せず、一定の空間を有することになる。したがって、この空間を利用して、ころ２２ａ、２２ｂの間の潤滑油の流入性および流出性を良好にすることができる。
【００２８】
また、ころ２２は、その角部に面取り部２８が設けられているが、ここで、突部１５の軸方向の寸法Ａは、収容されるころ２２の面取り部２８の軸方向の寸法の最大値よりも大きくする。こうすることにより、収容するころ２２を案内する突部１５の側面１７と、ころ２２の転動面２９とを当接させる部分を確保することができ、ころ２２を確実に保持することができる。
【００２９】
なお、内径側保持器においては、少なくともいずれか一方の環状部に、この環状部を切断するスリットを設けてもよい。図４は、環状部にスリットが設けられた内径側保持器の一部を示す図である。図４を参照して、内径側保持器３１には、ポケット３４ａ、３４ｂが形成されている位置に、環状部３２ａを切断するスリット３３ａ、３３ｂが設けられている。内径側保持器３１の環状部３２ａに、このようなスリット３３ａ、３３ｂを設けることにより、ころ軸受へ内径側保持器３１を組み込む際に、スリット３３ａ、３３ｂを利用して、内径側へ径を小さく弾性変形させることが容易となる。したがって、内径側へ容易に組み込むことができる。また、スリット３３ａ、３３ｂが開口している部分についても、空間が確保されるため、潤滑油の流入性および流出性を向上させることができる。なお、この場合、スリットを複数設けているが、スリットは１つであっても構わない。また、スリットの間隔はころ径の３０％以下とし、且つ、最小１ｍｍとする。
【００３０】
ここで、複数のスリットを設ける場合には、各スリットの間隔は、環状部を形成した場合に、周方向に等配となる位置に配置してもよい。図５は、等配の一つの例として、図４に示す内径側保持器３１の環状部３２ａに、４つのスリット３３ａ、３３ｂ、３３ｃ、３３ｄを９０度間隔で設けた場合の、内径側保持器３１を軸方向からみた図である。図５を参照して、９０度間隔に複数のスリットを設けることにより、弾性変形を利用してころを組み込んだ際の形状の崩れが少ない。
【００３１】
また、上記したスリットの間隔は４つのスリットを９０度間隔で設けたが、これに限らない。たとえば、スリットを３つ設ける場合には、１２０度間隔、スリットを８つ設ける場合には、４５度間隔とする。複数のスリットの周方向の位置を等配とすることにより、均一に変形するため、形状の崩れが少なくなる。
【００３２】
ここで、上記した実施の形態においては、スリットを一方の環状部のみに設けたが、これに限らず、双方の環状部に設けてもよい。また、この場合、組み込み時における内径側保持器の真円形状を確保するため、各々の環状部における周方向の位置は、それぞれ異なり、必ず分断されずに一つの部品として成り立つようにする。図６は、この場合の内径側保持器の一部を周方向からみた図である。また、図７は、この場合の内径側保持器を径方向からみた図である。図６および図７を参照して、内径側保持器４１の環状部４２ａには、スリット４３ａ、４３ｂ、４３ｃ、４３ｄが、環状部４２ｂには、スリット４３ｅ、４３ｆ、４３ｇ、４３ｈがそれぞれ９０度間隔で設けられている。こうすることにより、双方の環状部４２ａ、４２ｂを弾性変形させやすくなり、内径側への組み込みが容易となる。ここで、各環状部４２ａ、４２ｂに設けられたスリット４８ａ〜４８ｈは、軸方向からみた場合、４５度ずれた位置に配置されている。こうすることにより、内径側へ組み込まれた際に、内径側保持器４１の真円形状を大きく崩すことはない。
【００３３】
また、上記の実施の形態においては、各ポケットには、２つのころを収容することができることとしていたが、これに限らず、ポケットには、３つ以上のころを収容することができるようにしてもよい。図８は、この場合の内径側保持器５１を周方向からみた図の一部である。図８を参照して、内径側保持器５１は、一対の環状部５２ａ、５２ｂと、複数のころを収容するポケットを形成するように一対の環状部５２ａ、５２ｂを連結する複数の柱部とを有する。ここで、柱部５３ａと柱部５３ｂとの間には、３つのころを収容することができるスペースが設けられている。また、環状部５２ａ、５２ｂには、２つの突部５５ａ、５５ｂが設けられている。
【００３４】
柱部５３ａと柱部５３ｂとの間に形成されるポケット５４には、柱部５３ａと突部５５ａの間、突部５５ａと５５ｂの間、突部５５ｂと柱部５３ｂとの間に、合計３つのころを収容することができる。こうすることにより、ポケットの数をさらに少なくすることができる。また、突部５５ａ間、突部５５ｂ間の空間を確保することができ、潤滑油の流入性および流出性をさらに向上することができる。
【００３５】
なお、この場合においても、上記と同様に、環状部を切断するスリットを設けてもよい。図９は、この場合の内径側保持器を周方向からみた図の一部である。図９を参照して、内径側保持器６１には、２つのころを収容できるポケット６４ａと、３つのころを収容できるポケット６４ｂとが形成されている。環状部６２ａには、ポケット６４ａが形成されている位置にスリット６３ａが、ポケット６４ｂが形成されている位置にスリット６３ｂが、９０度間隔で設けられている。このような、３つ以上のころを保持することができるポケットを有する内径側保持器についても、スリットを設けることにより、内径側への組み込みを容易にすることができる。
【００３６】
また、このような内径側保持器についても、上記と同様に、図１０に示すように、双方の環状部にスリットを設けてもよい。図１０を参照して、内径側保持器７１には、３つのころを収容できるポケット７４ａが形成されている。環状部７２ａには、９０度間隔でスリット７３ａ、７３ｂが、環状部７２ｂには、９０度間隔でスリット７３ｃ、７３ｄが設けられている。こうすることによっても、組み込み性を向上させ、組み込み後における真円形状を確保することができる。
【００３７】
なお、上記の実施の形態においては、内径側保持器は、１つのころを収容するポケットを含まないことにしたが、これに限らず、複数のころを収容できるポケット、すなわち、２つ以上のころを収容できるポケットと、１つのころを収容するポケットとを並存させてもよい。
【００３８】
また、上記の実施の形態においては、樹脂性保持器について説明したが、これに限らず、金属製保持器についても上記と同様の構成としてもよい。こうすることにより、製造時における射出用コマの低減といったメリットは得られないが、潤滑油の流入性および流出性を向上させることができる。
【００３９】
また、上記の実施の形態においては、ころ軸受は、ころと保持器とを含むこととしたが、これに限らず、外輪または内輪を含んでもよい。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４１】
この発明に係るころ軸受は、潤滑油の流入性および流出性が向上し、かつ、安いコストで製造することができるため、潤滑性および低コストが要求されるころ軸受に、有効に利用される。
【図面の簡単な説明】
【００４２】
【図１】この発明の一実施形態に係るころ軸受に含まれる内径側保持器を、周方向からみた図の一部である。
【図２】この発明の一実施形態に係るころ軸受を軸方向に切断した場合の断面図である。
【図３】この発明の一実施形態に係るころ軸受を、突部を含まない径方向の断面で切断した場合の断面図の一部である。
【図４】一方の環状部にスリットが設けられた内径側保持器を、周方向からみた図の一部である。
【図５】図４で示す内径側保持器を径方向からみた図である。
【図６】双方の環状部にスリットが設けられた内径側保持器を、周方向からみた図の一部である。
【図７】図６で示す内径側保持器を径方向からみた図である。
【図８】３つのころを収容することができるポケットを有する内径側保持器を、周方向からみた図の一部である。
【図９】図８で示す内径側保持器の一方の環状部に、スリットを複数設けた場合を示す図である。
【図１０】図８で示す内径側保持器の双方の環状部に、スリットを複数設けた場合を示す図である。
【図１１】従来における外方部材および内方部材からなる保持器を示す図であり、（Ａ）軸方向の断面図、（Ｂ）径方向の断面図である。
【符号の説明】
【００４３】
１１，３１，４１，５１，６１，７１  内径側保持器、１２ａ，１２ｂ，２４ａ，２４ｂ，３２ａ，４２ａ，４２ｂ，５２ａ，５２ｂ，６２ａ，７２ａ，７２ｂ  環状部、１３，２５，５３ａ，５３ｂ  柱部、１４，３４ａ，３４ｂ，５４，６４ａ，６４ｂ，７４ａ  ポケット、１５，５５ａ，５５ｂ  突部、１６ａ，１６ｂ  内側面、１７  側面、２１  ころ軸受、２２，２２ａ，２２ｂ  ころ、２３  外径側保持器、２６ａ，２６ｂ  鍔部、２７  ＰＣＤ、２８  面取り部、２９  転動面、３３ａ，３３ｂ，３３ｃ，３３ｄ，４３ａ，４３ｂ，４３ｃ，４３ｄ，４３ｅ，４３ｆ，４３ｇ，４３ｈ，６３ａ，６３ｂ，７３ａ，７３ｂ，７３ｃ，７３ｄ  スリット。
【図１】
2007085394.tif 000003
【図２】
2007085394.tif 000004
【図３】
2007085394.tif 000005
【図４】
2007085394.tif 000006
【図５】
2007085394.tif 000007
【図６】
2007085394.tif 000008
【図７】
2007085394.tif 000009
【図８】
2007085394.tif 000010
【図９】
2007085394.tif 000011
【図１０】
2007085394.tif 000012
【図１１】
2007085394.tif 000013